(57)【要約】【課題】部品情報の利用者の負担を軽減して、原本性が保証された最新の部品情報を容易に入手することが可能となる部品情報データベースを備えた部品情報管理サーバを提供する。【解決手段】部品に関わる部品情報が記録された部品情報データベースを備えた部品情報管理サーバにおいて、部品情報データベースに、部品の画像情報と部品の第１の属性情報を含む第１の部品情報と、第１の部品情報に部品の第２の属性情報が付加された第２の部品情報と、第２の部品情報に基づき算出されたハッシュ値とを、関連付けて記録しておき、第１の部品情報の少なくとも一部を受信したことに応じて、第２の部品情報、および／またはハッシュ値を提供する。【選択図】  図１
2018200598.tif 000002
【特許請求の範囲】
【請求項１】
部品に関わる部品情報が記録された部品情報データベースを備えた部品情報管理サーバであって、
前記部品情報データベースには、前記部品の形状情報と前記部品の第１の属性情報を含む第１の部品情報と、前記第１の部品情報に前記部品の第２の属性情報が付加された第２の部品情報と、前記第２の部品情報に基づき算出されたハッシュ値とが、関連付けて記録されており、
前記第１の部品情報の少なくとも一部を受信したことに応じて、前記第２の部品情報、および／または前記ハッシュ値を提供する、
部品情報管理サーバ。
【請求項２】
前記第２の属性情報は、前記部品の流通情報を含むこと、
を特徴とする請求項１記載の部品情報管理サーバ。
【請求項３】
前記流通情報は、前記部品の流通地域情報と前記部品の価格情報の少なくともいずれかを含むこと、
を特徴とする請求項２記載の部品情報管理サーバ。
【請求項４】
前記第２の部品情報は、前記部品の代替部品の部品情報であること、
を特徴とする請求項１乃至３のいずれか１項に記載の部品情報管理サーバ。
【請求項５】
前記部品情報は、前記部品が廃番部品である場合に、前記部品が廃番部品であることを示す情報を含み、前記部品情報データベースには、前記廃番部品の前記部品情報が前記第１の部品情報と関連付けて記録されていること、
を特徴とする請求項４記載の部品情報管理サーバ。                             
【発明の詳細な説明】
【技術分野】
【０００１】
本願発明は、部品のデジタル情報を管理するデータベースを備えた部品情報管理サーバに関する。
【背景技術】
【０００２】
近年、設計において利用される２Ｄあるいは３Ｄデジタルデータ等の様々なＣＡＤ部品の情報をデータベース化して、複数の利用者がこれらの部品情報を利用して部品の選択や設計を行うことが様々な分野で行われている。例えば、建築工事、土木工事において用いられる建材等の情報をデータベース化して、利用者に提供するシステムも提案されている（例えば、特許文献１、２参照。）。
【０００３】
例えば、特許文献１には、建設材料に関連する情報を記憶するデータベースを含む建材情報提供システムが記載されている。この建材情報提供システムのデータベースには、建設材料の製造年月日、使用工種、使用用途等の建設材料に関する情報に加えて、建設材料の損傷具合や使用負荷、使用期間といった情報が保持されており、これらの情報は、建設材料の使用に伴って随時更新される。
【０００４】
また、特許文献２においても、建設資材の資材ＩＤ、資材名、資材の製造元等のカタログ情報に加えて建設資材の試験成績表を保存しておき、工事の受発注者間で供給する情報共有システムが提案されており、さらに、これらの情報のハッシュ値を保存することにより、建設資材のカタログ情報および試験成績表の原本性を保証することも行われている。
【先行技術文献】
【特許文献】
【０００５】
【特許文献１】特開２００２−０８３０１６号公報
【特許文献２】特開２００７−２０７１３７号公報
【発明の概要】
【発明が解決しようとする課題】
【０００６】
ここで、工事設計や建築設計を行う上では、部品の流通地域や部品の価格等の流通情報に関して、最新かつ正確な情報を入手することが求められているが、長期的に用いられる部品の場合には、随時変動するこれらの流通情報が部品データベースにタイムリーに反映されない場合があり、設計者が自らが労力をかけて情報収集する必要があった。また、過去に使用したことのある部品であっても、過去に入手した部品情報に基づいて、最新かつ正確な部品情報を入手できるような部品データベースは存在しなかった。
【０００７】
本願発明は、以上のような課題を解決するためになされたものであり、部品情報の利用者の負担を軽減して、原本性が保証された最新の部品情報を容易に入手することが可能となる部品情報データベースを備えた部品情報管理サーバを提供することを目的とする。
【課題を解決するための手段】
【０００８】
上記課題を解決するために、本願発明の部品情報管理サーバは、部品に関わる部品情報が記録された部品情報データベースを備えた部品情報管理サーバであって、前記部品情報データベースには、前記部品の形状情報と前記部品の第１の属性情報を含む第１の部品情報と、前記第１の部品情報に前記部品の第２の属性情報が付加された第２の部品情報と、前記第２の部品情報に基づき算出されたハッシュ値とが、関連付けて記録されており、前記第１の部品情報の少なくとも一部を受信したことに応じて、前記第２の部品情報、および／または前記ハッシュ値を提供する。
【０００９】
前記第２の属性情報は、前記部品の流通情報を含んでもよい。
【００１０】
前記流通情報は、前記部品の流通地域情報と前記部品の価格情報の少なくともいずれかを含んでもよい。
【００１１】
前記第２の部品情報は、前記部品の代替部品の部品情報であってもよい。
【００１２】
前記部品情報は、前記部品が廃番部品である場合に、前記部品が廃番部品であることを示す情報を含み、前記部品情報データベースには、前記廃番部品の前記部品情報が前記第１の部品情報と関連付けて記録されていてもよい。
【発明の効果】
【００１３】
本願発明によれば、部品情報の利用者の負担を軽減して、原本性が保証された最新の部品情報を容易に入手することが可能となる部品情報データベースを備えた部品情報管理サーバを提供することが可能となる。
【図面の簡単な説明】
【００１４】
【図１】図１は、部品情報管理システムの概要を示す図である。
【図２】図２は、部品情報管理システムにおける入力端末、編集端末、照会端末および部品情報管理サーバの構成例を示す図である。
【図３】図３は、部品情報データベースにおける部品情報の一例を示す図である。
【図４】図４は、部品情報管理サーバにおける部品情報の管理の一例を示す図である。
【図５】図５は、部品情報の付加、照会処理を説明するための図である。
【図６】図６は、部品情報の更新、照会処理を説明するための図である。
【図７】図７は、部品情報管理サーバにおける部品情報の付加、更新および照会処理のフローチャートの一例を示す図である。
【発明を実施するための形態】
【００１５】
以下、本願発明を実施するための形態について説明する。
【００１６】
＜部品情報管理システムの概要＞
図１は、部品情報管理システムの概要を示す図である。
【００１７】
部品情報管理システムは、オリジナルの部品情報である第１の部品情報を部品情報管理サーバ２０に入力する入力端末１０、部品情報を管理する部品情報管理サーバ２０、部品情報に属性を付加し、あるいは部品情報を更新するための編集端末３０、および部品情報を照会するための照会端末４０から構成されている。尚、本実施形態における部品情報管理システムは、建築工事や土木工事の設計に用いられる部品の２Ｄ、３Ｄデジタルデータのデータベースに適用されるが、それらに限定されず、部品のデジタルデータを複数の利用者が共有するあらゆるデータベースに適用することができる。
【００１８】
入力端末１０では、部品の形状情報や属性情報を含むオリジナルの第１の部品情報のデータを作成あるいは取得して、部品情報管理サーバ２０に送信し、登録する。部品情報管理サーバでは、受信した第１の部品情報に基づいて第１のハッシュ値を算出し、第１の部品情報と算出された第１のハッシュ値を関連付けて記録する。この第１のハッシュ値は、第１の部品情報の真偽性、原本性を証明するための情報として用いることができる。
【００１９】
編集端末３０では、部品情報管理サーバ２０に登録されたオリジナルの部品情報に属性を付加して第２の部品情報を作成し、作成された第２の部品情報を部品情報管理サーバ２０に送信し、登録する。この第２の部品情報は、オリジナルの部品情報である第１の部品情報に、部品の流通情報を付加したものである。付加される流通情報には、部品の流通地域の情報や部品の価格情報が含まれるがそれらに限定されるものではなく、部品が市場において流通する際に変動し得るあらゆる部品に関する情報が含まれる。
【００２０】
部品情報管理サーバ２０では、受信した第２の部品情報に基づいて第２のハッシュ値を算出し、オリジナルの第１の部品情報、属性が付加された第２の部品情報と算出された第２のハッシュ値を関連付けて記録する。この第２のハッシュ値は、第２の部品情報の真偽性、原本性を証明するための情報として用いることができる。オリジナルの第１の部品情報と属性が付加された第２の部品情報を関連付けて記憶することにより、第１の部品情報に含まれる形状情報や属性情報に基づき第２の部品情報を提供することが可能となり、第２のハッシュ値により、第２の部品情報の真偽性、原本性を確認することができる。
【００２１】
編集端末３０では、部品情報管理サーバ２０に登録された第２の部品情報を更新して、第３の部品情報を作成し、作成された第３の部品情報を部品情報管理サーバ２０に送信し、登録することができる。この第３の部品情報は、例えば、第２の部品情報に関わる部品が廃番となり、その代替部品として使用することのできる部品の部品情報である。
【００２２】
部品情報管理サーバでは、受信した第３の部品情報に基づいて第３のハッシュ値を算出し、オリジナルの第１の部品情報、第３の部品情報と算出された第３のハッシュ値を関連付けて記録する。オリジナルの第１の部品情報と更新された第３の部品情報を関連付けて記憶することにより、第１の部品情報に含まれる形状情報や属性情報に基づき第３の部品情報を提供することが可能となる。
【００２３】
また、廃番となった第２の部品情報を、廃番部品情報として、記録するようにしてもよい。それにより、オリジナルの第１の部品情報に基づき、廃番の第２の部品情報を提供することも可能となる。
【００２４】
照会端末４０では、部品情報管理サーバ２０に登録された部品情報を照会し、検証する。照会端末４０では、オリジナルの部品情報である第１の部品情報に含まれる形状情報や属性情報を部品情報管理サーバ２０に送信することにより、第２の部品情報や第３の部品情報を入手する。編集端末３０により、部品情報管理サーバ２０に登録された部品情報の属性情報に流通情報等を付加し、あるいは代替部品の部品情報に更新しておくことにより、照会端末４０では、オリジナルの形状情報や属性情報に基づき最新の部品情報を入手することが可能となる。
【００２５】
また、照会端末４０では、部品情報に関連付けて保存されたハッシュ値を利用して、部品情報の真偽性、原本性を確認することができる。例えば、入手した部品情報に基づいて自らハッシュ値を算出し、算出されたハッシュ値を部品情報管理サーバ２０に登録されたハッシュ値と比較することで、部品情報の真偽性、原本性を確認することができる。さらに、このハッシュ値を利用して、部品情報を入手することもできる。
【００２６】
＜部品情報管理システムの構成＞
図２は、部品情報管理システムにおける入力端末、編集端末、照会端末および部品情報管理サーバの構成例を示す図である。
【００２７】
入力端末１０は、各種情報を入力する入力部１２、各種情報を表示する表示部１３、部品情報管理サーバ２０との間で通信を行うＩ／Ｆ部１４、各部の制御を行う中央処理部１１、各種情報を記憶する記憶部１５を備える。中央処理部１１は、部品の形状情報や属性情報を含むオリジナルの第１の部品情報のデータを作成あるいは取得して、部品情報管理サーバ２０に送信する処理を実行する。
【００２８】
編集端末３０は、各種情報を入力する入力部３２、各種情報を表示する表示部３３、部品情報管理サーバ２０との間で通信を行うＩ／Ｆ部３４、各部の制御を行う中央処理部３１、各種情報を記憶する記憶部３５を備える。中央処理部３１は、第１の部品情報に属性を付加して第２の部品情報を作成し、第２の部品情報が更新された第３の部品情報を作成して、作成した第２、第３の部品情報を部品情報管理サーバ２０に送信する処理を実行する。
【００２９】
照会端末４０は、各種情報を入力する入力部４２、各種情報を表示する表示部４３、部品情報管理サーバ２０との間で通信を行うＩ／Ｆ部４４、各部の制御を行う中央処理部４１、各種情報を記憶する記憶部４５を備える。中央処理部４１は、部品情報管理サーバ２０に登録された部品情報を検証する処理、ハッシュ値を利用した部品情報の真偽性、原本性を確認する処理を実行する。
【００３０】
部品情報管理サーバ２０は、部品情報等の管理等を行う中央処理部２１、入力端末１０、編集端末３０および照会端末４０とネットワーク５０を介して通信を行うためのＩ／Ｆ部２５、および部品情報等を記憶する部品情報データベース２６を備える。
【００３１】
中央処理部２１は、部品情報を管理する部品情報管理部２２、ハッシュ情報を管理するハッシュ情報管理部２３、および廃番部品情報を管理する廃番部品情報管理部２４として動作する。部品情報データベース２６には、部品情報、ハッシュ情報、廃番部品情報の他、部品情報やハッシュ情報を関連付けるデータベーステーブル、各端末を認証するための認証情報（ＩＤ、パスワード）が記憶されている。
【００３２】
部品情報管理部２２では、第１〜第３の部品情報の関連付けと、第１〜第３の部品情報に基づき算出されたハッシュ値の関連付けが実行され、関連付けた情報を部品情報データベース２６に記録する処理が実行される。ハッシュ情報管理部２３では、第１〜第３の部品情報に基づき第１〜第３のハッシュ値の算出が行われ、廃番部品情報管理部２４では、廃番となった部品情報を部品情報データベース２６に記録する処理が実行される。この廃番部品情報管理部は、更新済み部品情報の過去の情報を保管しても良い。
【００３３】
＜部品情報、データベーステーブル＞
図３は、部品情報データベースにおける部品情報の一例を示す図である。部品情報管理サーバの部品情報データベースには、オリジナルの部品情報（第１の部品情報）と、オリジナルの部品情報に属性が付加された部品情報（第２の部品情報）、代替部品に更新された部品情報（第３の部品情報）と、それぞれの部品情報のハッシュ値（第１〜第３のハッシュ値）とが関連付けて保存されている。
【００３４】
オリジナルの部品情報には、部品の形状情報と、コード情報、部品名、型番、製造メーカ、製造年月日等の情報を含む属性情報が含まれる。尚、属性情報の内容は例示であり、図示したものに限定されるものではない。また、属性情報が付加されておらず形状情報だけの場合もある。
【００３５】
第２の部品情報では、オリジナルの部品情報に部品の流通地域や価格等の流通情報が付加されている。この付加された流通情報は、例示した部品の流通地域や価格等の情報に限定されるものではなく、部品が市場において流通する際に変動し得るあらゆる部品に関する情報が含まれる。また、価格情報など変動の頻度の高い情報については、それぞれの部品に固有の価格コードを付して別途のデータベースを参照する方式にしても良い。第３の部品情報は、例えば、第２の部品情報に関わる部品が廃番となり、その代替部品として使用することのできる部品の部品情報である。その場合、第２の部品情報には、廃番であることを示す情報が付加される。
【００３６】
部品情報データベースには、各部品情報の関連付けを行うデータベーステーブルも記録されている。データベーステーブルには、各部品情報を特定することができる固有のコード情報（＃１〜＃３）が関連づけて記録されており、このデータベーステーブルの情報を用いて、最新の部品情報を提供することができる。このデータベーステーブルには、最新の部品情報に基づくハッシュ値や属性情報を関連付けて保存してもよい。
【００３７】
例えば、オリジナルの部品情報のコード情報＃１を受信した場合には、受信したコード情報＃１に対応するコード情報＃２あるいはコード情報＃３があるかどうかデータベーステーブルの検索を行い、発見されたコード情報＃２あるいはコード情報＃３に対応する部品情報を提供する。ここで、部品情報を提供するために受信する情報はコード情報に限られるものではなく、部品情報に含まれる形状情報や属性情報の一部である部品名情報や型番情報等を受信することにより、対応する最新の部品情報を提供するようにしてもよい。また、ハッシュ値を受信することにより、そのハッシュ値に対応する部品情報を提供することもできる。
【００３８】
＜部品情報の管理＞
図４は、部品情報管理サーバにおける部品情報の管理の一例を示す図である。図４の例では、Ａ社のサイトにＡ社の部品であるＡ−ａ、Ａ−ｂ、Ａ−ｃに対応するオリジナルの部品情報が登録されており、Ａ−ａ（＃１）、Ａ−ｂ（＃１）、Ａ−ｃ（＃１）は、各部品情報を特定する固有のコード情報である。Ａ社サイトのコード番号が部品情報管理サーバにおいて一意性が担保されていない場合は、コードの振り替え等を行い対照表を用意する必要がある。Ａ−ａ（＃１）、Ａ−ｂ（＃１）、Ａ−ｃ（＃１）に対応する部品情報には、流通情報等の属性情報は付加されていない。
【００３９】
部品情報データベース２６には、Ａ−ａ（＃１）の部品情報に関連付けてハッシュ情報であるｈａｓｈ（＃１）が、Ａ−ｂ（＃１）の部品情報に関連付けて、属性情報が付加されたＡ−ｂ（＃２）の部品情報およびハッシュ情報であるｈａｓｈ（＃２）が、Ａ−ｃ（＃１）の部品情報に関連付けて、更新されたＡ−ｃ（＃３）の部品情報およびハッシュ情報であるｈａｓｈ（＃３）が、記録されている。
【００４０】
照会端末では、Ａ社のサイトから所望の部品のコード情報Ａ−ｂ（＃１）と部品情報を入手することができたので、このコード情報Ａ−ｂ（＃１）を部品情報管理サーバに送信することにより、属性情報が付加された最新のＡ−ｂ（＃２）の部品情報を入手することができる。また、必要に応じてＡ−ｂ（＃２）の部品情報のハッシュ値であるｈａｓｈ（＃２）を入手して、部品情報の真偽性、原本性を確認することもできる。同様に、コード情報Ａ−ｃ（＃１）を部品情報管理サーバに送信することにより、更新されたＡ−ｃ（＃３）の部品情報やそのハッシュ値であるｈａｓｈ（＃３）を入手することもできる。
【００４１】
また、図４の例では、オリジナルのコード情報Ａ−ｂ（＃１）を入力することにより、属性情報が付加されたＡ−ｂ（＃２）の部品情報を入手する例を説明したが、データベーステーブルにコード情報の関連付けを記憶しておけば、コード情報Ａ−ｂ（＃２）やＡ−ｃ（＃３）を用いてオリジナルの部品情報であるＡ−ｂ（＃１）やＡ−ｃ（＃１）の部品情報を入手することも可能である。また、ハッシュ値や、部品情報に含まれる形状情報、属性情報に基づき対応する最新の部品情報を入手することもできる。頻繁に使用する属性情報の一部である部品名情報や型番情報等を、データベースに記憶しておいてもよい。
【００４２】
さらに、部品情報データベース２６では、Ａ−ｃ（＃２）の部品情報は、Ａ−ｃ（＃３）の部品情報に更新されているので、Ａ−ｃ（＃２）の部品情報は、廃番部品情報として廃番テーブルに記録されている。この廃番テーブルを検索することにより、コード情報Ａ−ｃ（＃１）から廃番となっているＡ−ｃ（＃２）の部品情報も入手することができる。この廃番テーブルによれば、Ａ−ｃ（＃２）が廃番であるという情報を、部品情報内の属性情報を検索することなく入手することができる。
【００４３】
＜部品情報の付加処理＞
図５は、部品情報の付加、照会処理を説明するための図である。
【００４４】
部品情報の入力者は、部品情報を入力するために、入力端末から部品情報管理サーバにログインする。認証結果がＯＫの場合には、入力端末では、オリジナルの部品情報である第１の部品情報の送信が行われる。部品情報管理サーバでは、第１の部品情報に基づき第１のハッシュ値を算出し、第１の部品情報に関連付けて記録する。
【００４５】
次に、部品情報の編集者は、部品情報に属性情報を付加するために、編集端末から部品情報管理サーバにログインする。認証結果がＯＫの場合には、編集端末では、オリジナルの第１の部品情報に含まれるコード情報等を部品情報管理サーバに送信することにより、部品情報管理サーバに登録されたオリジナルの第１の部品情報を入手し、第１の部品情報に属性情報を付加して第２の部品情報を作成し、作成した第２の部品情報を部品情報管理サーバに送信する。部品情報管理サーバでは、受信した第２の部品情報等に基づき第２のハッシュ値を算出して、受信した第２の部品情報に関連付けて記録する。
【００４６】
部品情報の照会者は、部品情報を照会するために、照会端末から部品情報管理サーバにログインする。認証結果がＯＫの場合には、照会端末では、オリジナルの第１の部品情報に含まれるコード情報等を部品情報管理サーバに送信することにより、この時点で最新の情報である第２の部品情報を入手することができる。
【００４７】
＜部品情報の更新処理＞
図６は、部品情報の更新、照会処理を説明するための図である。
【００４８】
部品情報の更新者は、部品情報を更新するために、編集端末から部品情報管理サーバにログインする。認証結果がＯＫの場合には、編集端末では、オリジナルの第１の部品情報に含まれるコード情報等を部品情報管理サーバに送信することにより、部品情報管理サーバに登録された第２の部品情報を入手し、第２の部品情報の更新情報である第３の部品情報を作成し、作成した第３の部品情報を部品情報管理サーバに送信する。部品情報管理サーバでは、受信した第３の部品情報等に基づき第３のハッシュ値を算出して、受信した第３の部品情報に関連付けて記録し、第２の部品情報を、廃番部品情報として記録する。
【００４９】
部品情報の照会者は、部品情報を照会するために、照会端末から部品情報管理サーバにログインする。認証結果がＯＫの場合には、照会端末では、オリジナルの情報である第１の部品情報に含まれるコード情報等を部品情報管理サーバに送信することにより、この時点で最新の情報である第３の部品情報を入手することができる。
【００５０】
図７は、部品情報管理サーバにおける部品情報の付加、更新および照会処理のフローチャートの一例を示す図である。尚、本図では、各端末における認証処理は省略する。
【００５１】
部品情報管理サーバでは、入力端末から第１の部品情報を受信すると（Ｓ１−１）、第１の部品情報に基づき第１のハッシュ値を算出し（Ｓ１−２）、第１の部品情報と算出した第１のハッシュ値を関連付けて保存する（Ｓ１−３）。編集端末から部品情報のコード情報を受信した場合には（Ｓ１−４）、対応する第１の部品情報を送信し（Ｓ１−５）、第２の部品情報を受信した場合には（Ｓ１−６）、受信した第２の部品情報に基づきハッシュ値を算出し（Ｓ１−７）、第１、第２の部品情報と算出した第２のハッシュ値を関連付けて保存する（Ｓ１−８）。
【００５２】
編集端末から部品情報のコード情報を受信した場合には（Ｓ１−９）、対応する第２の部品情報を送信し（Ｓ１−１０）、第３の部品情報を受信した場合には（Ｓ１−１１）、受信した第３の部品情報に基づき第３のハッシュ値を算出し（Ｓ１−１２）、第１、第３の部品情報と算出した第３のハッシュ値を関連付けて保存し（Ｓ１−１３）、第２の部品情報を廃番とする（Ｓ１−１４）。
【００５３】
部品情報管理サーバでは、照会端末から第１の部品情報のコード情報等を受信すると（Ｓ１−１５）、この時点で最新の情報である第３の部品情報を送信する（Ｓ１−１６）。
【００５４】
以上述べたように、本実施の形態によれば、オリジナルの部品情報と、属性情報が付加された部品情報や更新した部品情報とハッシュ値を関連付けて部品情報データベースを構築したので、利用者の負担を軽減しながら、信頼性の高い最新の部品情報を容易に入手することが可能となる。
【産業上の利用可能性】
【００５５】
本願発明は、部品のデジタル情報を共有して使用する部品情報管理データベースに利用することができる。
【符号の説明】
【００５６】
１０…入力端末、１１…中央処理部、１２…入力部、１３…表示部、１４…Ｉ／Ｆ部、１５…記憶部、２０…部品情報管理サーバ、２１…中央処理部、２２…部品情報部、２３…ハッシュ情報管理部、２４…廃番部品情報管理部、２５…Ｉ／Ｆ部、２６…、部品情報データベース、３０…編集端末、３１…中央処理部、３２…入力部、３３…表示部、３４…Ｉ／Ｆ部、３５…記憶部、４０…照会端末、４１…中央処理部、４２…入力部、４３…表示部、４４…Ｉ／Ｆ部、４５…記憶部、５０…ネットワーク。
【図１】
2018200598.tif 000003
【図２】
2018200598.tif 000004
【図３】
2018200598.tif 000005
【図４】
2018200598.tif 000006
【図５】
2018200598.tif 000007
【図６】
2018200598.tif 000008
【図７】
2018200598.tif 000009